(57)【要約】【課題】下枠と風止板との間から浸入した雨水等が室内側まで浸入することを防止できると共に、風止板取付けコストが安いサッシとする。【解決手段】下枠３の風止板取付部３ａに風止板４を取付けて障子２の下部と下枠３との間を止水するサッシにおいて、その下枠３の風止板取付部分３ａにおける風止板４よりも室内側寄りに止水部材７をビス８で固着して取付け、この止水部材７の止水部７ａを風止板４と風止板取付部分３ａとに亘って押しつけて下枠３と風止板４との間から浸入した雨水等を止水し、その雨水等が室内側まで浸入することを防止すると共に、風止板４を強風雨時に雨水等が浸入しない優れた止水状態で取付ける必要がなく、その風止板の取付けコストを安くできる。【選択図】図５
2006316496.tif 000002
【特許請求の範囲】
【請求項１】
サッシ枠に障子を面内方向に移動自在に装着し、
前記サッシ枠の下枠に風止板を取付け、
この風止板に障子下部を接して下枠と障子下部との間を止水したサッシであって、
前記下枠の風止板取付部分における障子よりも室内寄り位置に、止水部材を取付け、その止水部材の止水部を風止板と下枠の風止板取付部分とに亘って接したことを特徴とするサッシ。
【請求項２】
下枠の風止板取付部分に横気密材を室外側に向けて装着し、この横気密材に障子下部室内側面を接して止水するようにし、
止水部材の止水部を、前記横気密材と風止板取付部分とに亘って接するようにした請求項１記載のサッシ。
【請求項３】
障子の召合せ框に下部摺動片を取付け、この下部摺動片のヒレを風止板に接して障子下部と風止板との間を止水するようにし、
止水部材の止水部を、前記下部摺動片のヒレと風止板とに亘って接するようにしたた請求項１記載のサッシ。
【請求項４】
風止板は、内障子下部が接する室内側部と外障子下部が接する室外側部とで上面が階段形状で、取付面がＬ字形状とし、
下枠の風止板取付部分は横向面と縦向面を有し、
止水部材の止水部は、前記室外側部の上面と室内側部の面内方向一側面と風止板取付部分の横向面、縦向面にそれぞれ接するようにした請求項１，２，３いずれか一項記載のサッシ。
【請求項５】
止水部材は、硬質樹脂製の板状体と軟質樹脂製の水密材を有し、
その板状体を、下枠の風止板取付部分における障子よりも室内寄り位置に取付けると共に、水密材を止水部とした請求項１，２，３，４いずれか一項記載のサッシ。
【発明の詳細な説明】
【技術分野】
【０００１】
本発明は、引き違いサッシや片引きサッシなどのサッシに関する。
【背景技術】
【０００２】
従来、窓枠に内障子と外障子を装着した引き違いサッシにおいては、内障子、外障子の下部と下枠との間を止水して雨水等が内・外障子よりも室内側に浸入しないようにしている。
例えば、特許文献１に、下枠に風止板を取付け、この風止板と内・外障子の下部を接触させた引き違いサッシが開示され、この引き違いサッシであれば内・外障子の下部と下枠との間を止水できる。
【０００３】
【特許文献１】実公平３−１７０３５号公報
【発明の開示】
【発明が解決しようとする課題】
【０００４】
前述した従来のサッシにおいては、台風などの強風雨時に風止板と下枠との間から雨水等が室内側に浸入することがある。
このことを防止するには、風止板を下枠に、強風雨時に雨水等が浸入しない優れた止水状態として取付けることになるが、そのように風止板を取付けることは困難で、風止板取付けコストが高くサッシが高価となる。
しかも、前述のように風止板と下枠との間から雨水等が室内側に浸入するほどの強風雨は年間を通して何回も発生しないし、そのような強風雨が発生しない地域もある。
これらのことから、下枠に風止板を強風時でも風止板と下枠との間から雨水等が室内側に浸入しない優れた止水状態で取付けることはサッシの価格の面から好ましくない。
【０００５】
本発明の目的は、下枠に風止板を、強風雨時に風止板と下枠との間から雨水等が室内側に浸入しない優れた止水状態で取付ける必要がなく、風止板の取付けが簡単で、風止板取付けコストが安くできると共に、必要に応じて台風などの強風雨時に下枠と風止板との間から浸入した雨水等が室内側まで浸入することを防止できるようにしたサッシを提供することである。
【課題を解決するための手段】
【０００６】
本発明は、サッシ枠に障子を面内方向に移動自在に装着し、
前記サッシ枠の下枠に風止板を取付け、
この風止板に障子下部を接して下枠と障子下部との間を止水したサッシであって、
前記下枠の風止板取付部分における障子よりも室内寄り位置に、止水部材を取付け、その止水部材の止水部を風止板と下枠の風止板取付部分とに亘って接したことを特徴とするサッシである。
【０００７】
本発明においては、下枠の風止板取付部分に横気密材を室外側に向けて装着し、この横気密材に障子下部室内側面を接して止水するようにし、
止水部材の止水部を、前記横気密材と風止板取付部分とに亘って接するように取付けることが好ましい。
【０００８】
このようにすれば、横気密材と風止板との隙間から浸入した雨水等が止水され、風止板取付部分に沿って室内に浸入することを防止できる。
【０００９】
また、本発明においては、障子の召合せ框に下部摺動片を取付け、この下部摺動片のヒレを風止板に接して障子下部と風止板との間を止水するようにし、止水部材の止水部を、前記下部摺動片のヒレと風止板とに亘って接するサッシとすることができる。
【００１０】
このようにすれば、下部摺動片のヒレと風止板の隙間から浸入した雨水等が室内側に浸入することを防止できる。
【００１１】
本発明においては、風止板は、内障子下部が接する室内側部と外障子下部が接する室外側部とで上面が階段形状で、取付面がＬ字形状とし、
下枠の風止板取付部分は横向面と縦向面を有し、
止水部材の止水部は、前記室外側部の上面と室内側部の面内方向一側面と風止板取付部分の横向面、縦向面にそれぞれ接するようにすることが好ましい。
【００１２】
このようにすれば、内障子と外障子を備えた引き違いサッシとすることができる。
【００１３】
本発明においては、止水部材は、硬質樹脂製の板状体と軟質樹脂製の水密材を有し、
その板状体を、下枠の風止板取付部分における障子よりも室内寄り位置に取付けると共に、水密材を止水部とすることが好ましい。
【００１４】
このようにすれば、止水部材を樹脂を用いて作製できる。
【発明の効果】
【００１５】
本発明によれば、風止板を下枠に、強風雨時に雨水等が浸入しない優れた止水状態で取付ける必要がなく、風止板の取付けが簡単で、風止板取付けコストを安くできる。
また、止水部材を取付けることで、下枠と風止板との間から浸入した雨水等が止水部材の止水部を越えて室内側に浸入することを防止できるので、必要に応じて台風などの強風雨時に下枠と風止板との間から浸入した雨水等が室内側まで浸入することを防止できる。
また、止水部材を障子閉じ状態で取付けできる。
【発明を実施するための最良の形態】
【００１６】
図１と図２に示すように、サッシ枠１に障子２を面内方向に移動自在に装着してサッシとしてある。図１、図２に示す実施の形態では、サッシ枠１に内障子２１と外障子２２が面内方向に移動自在にそれぞれ装着されて引き違いサッシとしてある。
前記サッシ枠１の下枠３に風止板４が取付けてあり、障子閉じ状態で縦框５の下部が風止板４に接して障子下部と下枠３との間を止水している。図１、図２に示す実施の形態では内障子２１の召合せ框５１の下部と外障子２２の召合せ框５２の下部（召合せ框５２に取付けた下部摺動片６の下部）が風止板４に接している。
【００１７】
この風止板４は、通常の風雨時に下枠３との間から雨水等が室内側に浸入しない程度の止水状態で取付けてあり、台風などの強風雨時には下枠３と風止板４との間から雨水等が室内側に浸入することがある。
このようであるから、風止板４の取付けは簡単で、風止板取付けコストが安い。
【００１８】
前記下枠３の風止板取付部分３ａにおける障子２よりも室内寄り位置に止水部材７を取付け、その止水部材７の止水部７ａを風止板４と下枠３の風止板取付部３ａとに亘って押しつけて接し、その風止板４と下枠３との間から浸入した雨水等を止水部７ａで止水し、その止水部７ａを越えて室内側まで浸入しないようにする。
例えば、止水部材７をビス８で固着する。
【００１９】
このようであるから、止水部材７を取付けることで強風時に下枠３と風止板４との間から浸入した雨水等が障子よりも室内側まで浸入することを防止できる。
また、止水部材７は障子閉じ状態でも取付けできるから、障子を開放せずに止水部材７を取付けでき、台風などの強風時には室内から止水部材７を取付けできる。
例えば、障子閉じ状態でビス８を螺合して止水部材７を取付けできる。
【００２０】
次に、各部材の具体形状を説明する。
前記下枠３は、内レール１０を備えた室内側上部横向板１１と、下レール１２を備えた室外側下部横向板１３と、この室外側下部横向板１３と室内側上部横向板１１を連続する縦板１４とで階段形状で、その縦板１４の上下中間に横板１５が室外側に向けて一体的に設けてあり、この横板１５と縦板１４の一部が前述の風止板取付部分３ａで、この実施の形態では風止板取付部分３ａが横向面と縦向面でＬ字形状である。
この横板１５に横水密材１６が室外側に向けて装着してある。
前記外障子２２の下框１７、戸当り框１８、前述の召合せ框５２が、この横水密材１６に接して外障子２２の下部室内側面と下枠３（横板１５）との間を水密している。
【００２１】
前記風止板４は図３に示すように、室内側部２０と室外側部２１でほぼＬ字形状で、その室内側部２０の上面２０ａが室外側部２１の上面２１ａよりも高く、その上面２０ａ，２１ａ相互が室内側部２０の室外側面２０ｂで連続し、風止板４の上面は階段形状である。
つまり、この実施の形態では内障子２１の下部（召合せ框５１の下部）と外障子２２の下部（召合せ框５２に設けた下部摺動片６）を風止板４の上面に接すると共に、内下レール１０が外下レール１２よりも上方に位置して内障子２１の下部が外障子２２の下部よりも上方に位置しているので、風止板４の上面を室内側部が高く、室外側部が低い階段形状としてある。
なお、内障子２１の下部と外障子２２の下部が同一高さであれば、風止板４の上面は室内側部と室外側部が同一高さで良い。
【００２２】
前記風止板４の下面４ａと室内側縦面４ｂがＬ字状の取付面である。なお、前述したように上面が同一高さの風止板の場合には下面４ａのみが取付面となる。
前記風止板４の下面４ａが下枠３の風止板取付部分３ａ（横板１５）の上面に接すると共に、室内側縦面４ｂ（室内側部２０の室内側面２０ｃ）が下枠３の縦板１４に接している。
前記室外側部２１の室外側端部には下向鉤形の取付部２２が一体的に設けてあり、この取付部２２が横板１５の室外側端縁に嵌合して取付けてある。
前記室内側部２０の上部は複数のヒレとしてある。
【００２３】
前記下部摺動片６は図２と図３に示すように外障子２２の召合せ框５２の中空部３０に嵌合して取付けた本体３１と、この本体３１に設けた室内側に向かう第１のヒレ３２と下向きの第２のヒレ３３を備えている。
そして、図２に示すように前記召合せ框５２における室内側に突出し、煙返し３４を備えた突部３５の下部を図１に示すように切断して除去し、前記第１のヒレ３２、第２のヒレ３３は召合せ框５２よりも突出する。
【００２４】
前記止水部材７は図３と図４に示すように、板状体４０の一端寄り下部に水密材４１を有し、その板状体４０の他端寄りに上下面に貫通した孔４２を有している。この孔４２は取付け位置を調節できるように前述のビス８よりも大径、例えば長孔となっている。
この実施の形態では風止板４が前述のように室内側部２０と室外側部２１で上面が階段形状であるから、板状体４０の一端寄り部を鉤形に切欠きし、残存した部分を図５に示すように風止板の室外側部２１の上面２１ａに水密材４１を介して押しつけるように接してある。
また、前述の板状体４０の切欠きした切欠き部４３及び残存した部分の一端面よりも水密材４１を張り出して風止板４の室内側部２０の面内方向一側面２０ｄ及び下部摺動片６の第１・第２のヒレ３２，３３に接している。
また、水密材４１の室内側部を上方に立ち上げ、その立上り部４１ａを下枠３の縦板１４と風止板４の室内側部２０の面内方向一側面２０ｄに接触させている。この立上り部４１ａを保護するために板状体４０は突片４０ａを有している。
前記止水部材７は、この実施の形態では板状体４０を硬質樹脂、水密材４１を軟質樹脂として同時に成形して作製される。
これに限ることはなく、板状体４０と水密材４１を硬質樹脂と軟質樹脂で別々に作製し、接着剤などを用いて固着することで止水部材７としても良い。
【００２５】
このようであるから、風止板４の下面４ａと下枠３の横板１５の上面との間から浸入した雨水等は、その横板１５の上面と水密材４１（止水部７ａ）との接触部分で止水され、室内側に浸入することがない。
また、風止板４の室内側縦面４ｂと下枠３の縦板１４との間から浸入した雨水等は、その縦板１４と水密材４１との接触部分で止水され、室内側に浸入することがない。
つまり、下枠３の風止板取付部分３ａと風止板４の取付面との間から浸入した雨水等を止水部材７で止水して室内側に浸入しないようにする。
【００２６】
また、図５、図６、図７に示すように、下枠３の横板１５に装着した横水密材１６は、外障子２２の下框１７の室内側面１７ａと召合せ框５２の室内側面３７と戸当り框１８の室内側面１８ａに接触して外障子２２の下部室内側面と下枠３との間を水密している。
このようにした場合に、前述の横水密材１６と風止板４の隙間から雨水等が浸入し、下枠３の横板１５を伝わって室内側に浸入することがあるが、この実施の形態では止水部材７の水密材４１（止水部７ａ）が横水密材１６と下枠３の横板１５とに亘って接して止水しているので、前述のように横水密材１６と風止板４の隙間から浸入した雨水等は止水され横板１５に沿って室内側まで浸入することを防止できる。
【００２７】
また、下部摺動片６の第１のヒレ３２は風止板４の室内側部材２０の室外側縦面２０ｂに接触している。第２のヒレ３３は風止板４の室外側部材２１の上面２１ａに接触しているが、その接触部から雨水等が浸入することがある。
この浸入した雨水等は止水部材７の水密材４１が第２のヒレ３３と風止板４の室外側部材２１の上面に接していることで止水されて室内側に浸入することがない。
【００２８】
この実施の形態は引き違いサッシであるか、片引きサッシでも良い。
この片引きサッシの場合には、例えば、前述の内障子２１を固定して外障子２２のみが移動するようにする。
または、サッシ枠に１つの障子のみを面内方向に移動自在に装着する。この場合には風止板は、上面が室内外側部で同一高さで、下面のみが取付面である形状とする。
そして、止水部材７は、その止水部７ａが風止板の上面に接する矩形板状とすることができる。
【図面の簡単な説明】
【００２９】
【図１】本発明の実施の形態を示す引き違いサッシの縦断面図である。
【図２】本発明の実施の形態を示す引き違いサッシの横断面図である。
【図３】風止板を取付けると共に、止水部材を外し、下部摺動片が接触していない状態の斜視図である。
【図４】止水部材の斜視図である。
【図５】風止板と止水部材を取付けると共に、下部摺動片が接触している状態の斜視図である。
【図６】下枠の風止板部分の拡大平面図である。
【図７】下枠の風止板部分の拡大正面図である。
【符号の説明】
【００３０】
１…サッシ枠、２…障子、２１…内障子、２２…外障子、３…下枠、３ａ…風止板取付部分、４…風止板、５…縦框、５１…召合せ框、５２…召合せ框、６…下部摺動片、７…止水部材、７ａ…止水部、８…ビス、１４…縦板１５…横向板、１６…横気密材、２０…室内側部、２１…室外側部、３１…本体、３２…第１のヒレ、３３…第２のヒレ。
【図１】
2006316496.tif 000003
【図２】
2006316496.tif 000004
【図３】
2006316496.tif 000005
【図４】
2006316496.tif 000006
【図５】
2006316496.tif 000007
【図６】
2006316496.tif 000008
【図７】
2006316496.tif 000009